(57)【要約】【課題】長時間使用であっても、常に、所定の表示特性に調整することができる。【解決手段】表示装置１は、ＬＣＤ１４と、該ＬＣＤ１４を制御するＣＰＵ１０とを有する。表示装置１は、ＬＣＤ１４の稼働時間を積算して記憶する積算部と、ＬＣＤ１４の稼働時間と輝度補正値との関係を紐付して記憶する輝度補正テーブル１９と、輝度補正テーブル１９を参照し、積算部で積算されたＬＣＤ１４の稼働時間に対応する輝度補正値を取得し、該輝度補正値に基づいて、ＣＰＵ１０からＬＣＤ１４への輝度制御信号を補正する輝度調整部とを備えている。【選択図】図１
2013210434.tif 000002
【特許請求の範囲】
【請求項１】
表示部と、該表示部を制御する制御部とを有する表示装置であって、
前記表示部の稼働時間を積算して記憶する積算部と、
前記表示部の稼働時間と輝度補正値との関係を紐付して記憶する輝度補正テーブルと、
前記輝度補正テーブルを参照し、前記積算部で積算された前記表示部の稼働時間に対応する輝度補正値を取得し、該輝度補正値に基づいて、前記制御部から前記表示部への輝度制御信号を補正する輝度調整部と
を備えることを特徴とする表示装置。
【請求項２】
前記輝度調整部は、
前記制御部から表示部へのパルス幅変調された輝度制御信号のデューティ比を調整することで前記表示部の輝度を補正する
ことを特徴とする請求項１に記載の表示装置。
【請求項３】
前記表示部の起動時刻、停止時刻を測定する時刻測定部と、
前記表示部の起動時、停止時の温度を測定する温度測定部と、
前記積算部は、
前記時刻測定部により測定された、前記起動時刻と前記停止時刻とから前記表示部の稼働時間を算出し、
前記輝度調整部は、
前記積算部で積算された前記表示部の稼働時間と前記温度測定部により測定された前記表示部の温度とに基づいて、前記輝度補正テーブルから輝度補正値を取得し、該輝度補正値に基づいて、前記制御部から前記表示部への輝度制御信号を補正する
ことを特徴とする請求項１または２に記載の表示装置。
【請求項４】
前記表示部の色度を補正する色度補正部と、
前記表示部の稼働時間と色度補正値との関係を紐付して記憶する色度補正テーブルと、
前記色度補正テーブルを参照し、前記積算部で積算された前記表示部の稼働時間に対応する色度補正値を取得し、該色度補正値に基づいて、前記色度補正部へのパラメータを補正する色度調整部と
を更に備えることを特徴とする請求項１または２に記載の表示装置。
【請求項５】
前記表示部の色度を補正する色度補正部と、
前記表示部の稼働時間と色度補正値との関係を紐付して記憶する色度補正テーブルと、
前記色度補正テーブルを参照し、前記積算部で積算された前記表示部の稼働時間に対応する色度補正値を取得し、該色度補正値に基づいて、前記色度補正部へのパラメータを補正する色度調整部と
を更に備え、
前記色度調整部は、
前記積算部で積算された前記表示部の稼働時間と前記温度測定部により測定された前記表示部の温度とに基づいて、前記色度補正テーブルから色度補正値を取得し、該色度補正値に基づいて、前記色度補正部へのパラメータを補正する
ことを特徴とする請求項３に記載の表示装置。
【請求項６】
前記積算部で積算された前記表示部の稼働時間と前記温度測定部により測定された前記表示部の温度とに基づいて、前記時刻測定部の計時時刻を補正する時刻補正部を
更に備えることを特徴とする請求項３または５に記載の表示装置。
【請求項７】
使用環境における経年変化として、前記表示部の稼働時間と前記表示部の画面上の汚れ度合に応じた汚れ補正値とを紐付して記憶する補正テーブルを更に備え、
前記輝度調整部は、
前記補正テーブルを参照し、前記積算部で積算された前記表示部の稼働時間に対応する汚れ補正値を取得し、該汚れ補正値に基づいて、前記制御部から前記表示部への輝度制御信号を補正する
ことを特徴とする請求項１、２、３、５、６の何れか一項に記載の表示装置。
【請求項８】
使用環境における経年変化として、前記表示部の稼働時間と前記表示部の画面上の汚れ度合に応じた汚れ補正値とを紐付して記憶する補正テーブルを更に備え、
前記色度調整部は、
前記補正テーブルを参照し、前記積算部で積算された前記表示部の稼働時間に対応する汚れ補正値を取得し、該汚れ補正値に基づいて、前記色度補正部へのパラメータを補正する
ことを特徴とする請求項４に記載の表示装置。
【請求項９】
表示部と、該表示部を制御する制御部とを有する表示装置の表示制御方法であって、
前記表示部の稼働時間を積算して記憶するステップと、
前記表示部の稼働時間と輝度補正値との関係を紐付して輝度補正テーブルに予め記憶するステップと、
前記輝度補正テーブルを参照し、前記表示部の稼働時間に対応する輝度補正値を取得し、該輝度補正値に基づいて、前記制御部から前記表示部への輝度制御信号を補正するステップと
を含むことを特徴とする表示制御方法。
【請求項１０】
表示部と、該表示部を制御する制御部とを有する表示装置のコンピュータに、
前記表示部の稼働時間を積算して記憶する積算機能、
前記表示部の稼働時間と輝度補正値との関係を紐付して輝度補正テーブルに予め記憶する輝度補正値記憶機能、
前記輝度補正テーブルを参照し、前記表示部の稼働時間に対応する輝度補正値を取得し、該輝度補正値に基づいて、前記制御部から前記表示部への輝度制御信号を補正する輝度調整機能
を実行させることを特徴とするプログラム。
【発明の詳細な説明】
【技術分野】
【０００１】
本発明は、表示装置、表示制御方法、及びプログラムに関する。
【背景技術】
【０００２】
アーケードゲーム機や遊技機等において、液晶表示器などの表示装置が多く用いられている。これまでは、遊技機等の使用環境に関しては、長期間の稼働を得られる機種が限られており、数ヶ月で交換され廃棄される状況が多く見受けられた。しかしながら、近年、長期稼働が行われる機種、またリユース対応により、長期間にわたって液晶表示装置を使用する可能性が増えてきた。このため、まだ補正や調整を行えれば、使用可能であるにもかかわらず、経時変化や環境変化によって、液晶表示装置の輝度が低下したり、色度がシフトしたりすることで、使用不可と判断されてしまう場合がある。そこで、液晶表示装置の特性を調整する技術が重要となってきている。
【０００３】
例えば、特許文献１では、遊技機の一部がリユース可能であるかを判定可能にするために、演出制御ＣＰＵが、稼働時間および温度センサによって検出された温度に基づいて、遊技機の劣化度（劣化の程度）を示す劣化指数を求め、ＲＴＣのＲＡＭの予め設定された記憶領域に記録する技術が提案されている。
【先行技術文献】
【特許文献】
【０００４】
【特許文献１】特開２０１１−０６７４２７号公報
【発明の概要】
【発明が解決しようとする課題】
【０００５】
しかしながら、上述した特許文献１では、劣化の程度を知ることができたとしても、劣化途中での使用時における、表示装置における、輝度の低下や色度の変化など、経時変化や環境変化による特性劣化を調整することはできず、調整することなくそのまま使用するしかないという問題がある。
【０００６】
本発明は、上述の課題を解決することのできる表示装置、表示制御方法、及びプログラムを提供することにある。
【課題を解決するための手段】
【０００７】
上述した課題を解決するために、本発明は、表示部と、該表示部を制御する制御部とを有する表示装置であって、前記表示部の稼働時間を積算して記憶する積算部と、前記表示部の稼働時間と輝度補正値との関係を紐付して記憶する輝度補正テーブルと、前記輝度補正テーブルを参照し、前記積算部で積算された前記表示部の稼働時間に対応する輝度補正値を取得し、該輝度補正値に基づいて、前記制御部から前記表示部への輝度制御信号を補正する輝度調整部とを備えることを特徴とする表示装置である。
【０００８】
また、上述した課題を解決するために、本発明は、表示部と、該表示部を制御する制御部とを有する表示装置の表示制御方法であって、前記表示部の稼働時間を積算して記憶するステップと、前記表示部の稼働時間と輝度補正値との関係を紐付して輝度補正テーブルに予め記憶するステップと、前記輝度補正テーブルを参照し、前記表示部の稼働時間に対応する輝度補正値を取得し、該輝度補正値に基づいて、前記制御部から前記表示部への輝度制御信号を補正するステップとを含むことを特徴とする表示制御方法である。
【０００９】
また、上述した課題を解決するために、本発明は、表示部と、該表示部を制御する制御部とを有する表示装置のコンピュータに、前記表示部の稼働時間を積算して記憶する積算機能、前記表示部の稼働時間と輝度補正値との関係を紐付して輝度補正テーブルに予め記憶する輝度補正値記憶機能、前記輝度補正テーブルを参照し、前記表示部の稼働時間に対応する輝度補正値を取得し、該輝度補正値に基づいて、前記制御部から前記表示部への輝度制御信号を補正する輝度調整機能を実行させることを特徴とするプログラムである。
【発明の効果】
【００１０】
この発明によれば、長時間使用であっても、常に、所定の表示特性に調整することができる。
【図面の簡単な説明】
【００１１】
【図１】本発明の実施形態による表示装置１の構成を示すブロック図である。
【図２】本第１実施形態によるＬＣＤ１４のバックライトの輝度特性の変化とその補正方法を示す概念図である。
【図３】本第１実施形態による輝度補正方法を説明するための概念図である。
【図４】本第２実施形態による表示装置１の構成を示すブロック図である。
【図５】本第２実施形態での色度補正方法を説明するための概念図である。図５には、ＣＩＥｘｙ色度図を示している。
【図６】本第３実施形態による表示装置１の構成を示すブロック図である。
【発明を実施するための形態】
【００１２】
以下、本発明の一実施形態を、図面を参照して説明する。
【００１３】
Ａ．第１実施形態
まず、本発明の第１実施形態について説明する。
図１は、本発明の実施形態による表示装置１の構成を示すブロック図である。図１において、ＣＰＵ（Central Processing Unit）１０は、所定のプログラムを実行することにより各部の動作を制御する。メモリ・ＩＯコントローラ１１は、ＣＰＵ１０（制御部）による制御に従って、図示しないメモリや、ＩＯ（入出力）を制御する。グラフィックＬＳＩ１２は、メモリ・ＩＯコントローラ１１を介したＣＰＵによる制御に従って、ＬＣＤ（Liquid Crystal Display）１４（表示部）へのグラフィック表示を制御する。色補正ＩＣ１３（色度補正部）は、グラフィックＬＳＩから出力される映像データの色を補正する。
なお、メモリ・ＩＯコントローラ１１は、ＣＰＵに内蔵されていても、また、色補正ＩＣ１３は、グラフィックＬＳＩに内蔵されていてもよい。
【００１４】
ＬＣＤ１４は、カラー液晶表示器である。リセットＩＣ１５は、ＣＰＵ１０にリセットをかける。ＲＴＣ（Real Time Clock）１６（時刻測定部）は、内蔵ＲＡＭ（Random Access Memory：不揮発性メモリ）を有しており、実時間を計時するとともに、ＣＰＵ１０からの制御に従って、当該機器の温度×稼働時間の積算値を保持する。温度センサ（またはハードウェアモニタＩＣ）１７（温度測定部）は、当該機器の温度を検出する。ＬＥＤバックライトコントローラ１８は、ＣＰＵ１０からのＰＷＭ信号に従ってＬＣＤ１４のバックライトへの駆動電流を制御する。
【００１５】
輝度補正テーブル１９は、ＬＣＤ１４のバックライトの輝度を補正するための、補正指標と輝度補正値とを紐付したテーブルである。具体的には、製造メーカにおける実験、あるいは、使用環境における実験に基づいて、ＬＣＤ１４のバックライトの輝度特性の使用温度による経年変化に基づいて輝度補正値を予め取得する。
なお、輝度補正テーブル１９は、プログラム記憶装置ＲＯＭやＨＤ（ハードディスク）などに内蔵されていてもよい。
【００１６】
図２（ａ）、（ｂ）は、本第１実施形態によるＬＣＤ１４のバックライトの輝度特性の変化とその補正方法を示す概念図である。図２（ａ）に示すように、ＬＣＤ１４のバックライトの輝度特性は、時間経過に伴って低下する傾向を示す。特に、使用温度が高いほど、低下速度（劣化）が速まることが知られている。そこで、本発明では、図２（ｂ）に示すように、時間経過に応じてバックライトへの駆動電流を増加させることで、ＬＣＤ１４のバックライトの輝度低下を補正する。
【００１７】
そのために、ＬＣＤ１４の稼働時間と使用温度とから得られる補正指標（例えば、起動時刻、終了時刻（停止時刻）、稼働時刻それぞれにおける温度の積分値）とＬＣＤ１４のバックライトへのＰＷＭ信号の輝度補正値（Ｄｕｔｙ比）とを紐付した輝度補正テーブル１９を用意する。
【００１８】
図３は、本第１実施形態による輝度補正方法を説明するための概念図である。
ＣＰＵ１０は、起動される度に、ＲＴＣ１６から起動時刻、温度センサ１７から起動時の温度を取得し、ＲＴＣ１６の内蔵ＲＡＭに保持する。また、ＣＰＵ１０は、電源オフ時に、ＲＴＣ１６から終了時刻、温度センサ１７から終了時の温度を取得し、ＲＴＣ１６の内蔵ＲＡＭに保持する。また、ＣＰＵ１０は、表示装置１の稼働中の各時刻と温度とをＲＴＣ１６や温度センサ１７から取得し、ＲＴＣ１６の内蔵ＲＡＭに保持する。そして、ＣＰＵ１０は、各時刻における温度の積分値を算出して補正指標を算出する。なおＣＰＵ１０は、起動時刻と終了時刻とから稼働時間の積算値（以下、稼働時間積算値）を算出し、ＲＴＣ１６の内蔵ＲＡＭに保持するとともに（積算部）、起動時温度や終了時温度、起動時温度と終了時温度との温度差などに基づく温度係数を用いて、稼働時間積算値に温度係数を乗算して補正指標を算出するようにしてもよい。
【００１９】
そして、ＣＰＵ１０は、上記補正指標に従って、輝度補正テーブル１９を参照して輝度補正値を取得し、図３に示すように、ＣＰＵ１０内部のレジスタに設定する。これにより、ＣＰＵ１０内部に備えられたＰＷＭ回路１０−１が、レジスタに設定された輝度補正値に従って、ＬＥＤバックライトコントローラ１８へのＰＷＭ（パルス幅変調）信号（輝度制御信号）のＤｕｔｙ比を制御する。より具体的にはＰＷＭ信号のＯＮ時間を延長することにより、平均バックライト電流を増加することにより、ＬＣＤ１４のバックライト輝度をアップさせる（輝度調整部）。
【００２０】
上述した第１実施形態によれば、長時間使用されたとしても、ＬＣＤのバックライトのスペックの範囲内で調整でき、使用開始された頃と同様の輝度特性で使用することができる。
【００２１】
Ｂ．第２実施形態
次に、本発明の第２実施形態について説明する。
本第２実施形態では、更に、稼働時間と使用温度とに従って経年変化する、ＬＣＤ１４の色度特性を補正することを特徴とする。そのために、本第２実施形態では、ＬＣＤ１４の稼働時間と使用温度とから得られる補正指標（例えば、起動時刻、終了時刻、稼働時刻それぞれにおける温度の積分値）とＬＣＤ１４の色度特性の色度補正値とを紐付した色度補正テーブル２０を用意する。
【００２２】
図４は、本第２実施形態による表示装置１の構成を示すブロック図である。なお、図１に対応する部分には同一の符号を付けて説明を省略する。色度補正テーブル２０は、ＬＣＤ１４の稼働時間と使用温度とから得られる補正指標（例えば、起動時刻、終了時刻、稼働時刻それぞれにおける温度の積分値）と紐付したＬＣＤ１４の色度特性の色度補正値を保持する。
なお、色度補正テーブル２０は、プログラム記憶装置ＲＯＭやＨＤなどに内蔵されていてもよい。
【００２３】
図５は、本第２実施形態での色度補正方法を説明するための概念図である。図５には、ＣＩＥｘｙ色度図を示している。実際には色の３原色がグラデーションを持って配色されている。本第２実施形態では、図５に示す矢印のように、色度をシフトさせることで、ＬＣＤ１４の色度特性を補正する。
【００２４】
ＣＰＵ１０は、起動される度に、ＲＴＣ１６から起動時刻、温度センサ１７から起動時の温度を取得し、ＲＴＣ１６の内蔵ＲＡＭに保持する。また、ＣＰＵ１０は、電源オフ時に、ＲＴＣ１６から終了時刻、温度センサ１７から終了時の温度を取得し、ＲＴＣ１６の内蔵ＲＡＭに保持する。また、ＣＰＵ１０は、表示装置１の稼働中の各時刻と温度とをＲＴＣ１６や温度センサ１７から取得し、ＲＴＣ１６の内蔵ＲＡＭに保持する。そしてＣＰＵ１０は、各時刻における温度の積分値を算出して補正指標を算出する。なおＣＰＵ１０は、起動時刻と終了時刻とから稼働時間の積算値（以下、稼働時間積算値）を算出し、ＲＴＣ１６の内蔵ＲＡＭに保持するとともに（積算部）、起動時温度や終了時温度、起動時温度と終了時温度との温度差などに基づく温度係数を用いて、稼働時間積算値に温度係数を乗算して補正指標を算出するようにしてもよい。
【００２５】
そして、ＣＰＵ１０は、上記補正指標に従って、輝度補正テーブル１９を参照して輝度補正値を取得し、ＬＥＤバックライトコントローラ１６へのＰＷＭ信号のＤｕｔｙ比を該輝度補正値に従って制御することにより、ＬＣＤ１４のバックライト輝度を補正（上昇）する（輝度調整部）。さらに、ＣＰＵ１０は、上記補正指標に従って、色度補正テーブル２０を参照して色度補正値を取得し、色補正ＩＣ１３に対するパラメータを該色度補正値に従って制御することにより、ＬＣＤ１４の色度を補正する（色度調整部）。
【００２６】
上述した第２実施形態によれば、長時間使用されたとしても、色補正ＩＣのスペックの範囲内で調整でき、使用開始された頃と同様の輝度特性、色度特性で使用することができる。
【００２７】
Ｃ．第３実施形態
次に、本発明の第３実施形態について説明する。
本第３実施形態では、ＬＣＤ１４自体に色調整回路（色補正ＩＣに相当）を備えている場合に、ＬＣＤ１４が備えている色調整回路のパラメータを補正する。
【００２８】
図６は、本第３実施形態による表示装置１の構成を示すブロック図である。なお、図１、図４に対応する部分に同一の符号を付けて説明を省略する。図６において、ＬＣＤ１４は、それ自体に色調整回路１４−１と、時計部１４−２とを備えている。色調整回路１４−１は、色補正ＩＣ１３に相当し、ＣＰＵ１０による制御に従って、ＬＣＤ１４の発光色を調整する。時計部１４−２は、ＲＴＣ１６に相当し、実時間を計時するとともに、ＬＣＤ１４自体の累積稼働時間や、起動時温度や終了時温度などを内蔵ＲＡＭ（不揮発性メモリ）に記憶する。
【００２９】
ＣＰＵ１０は、起動される度に、時計部１４−２から起動時刻、温度センサ１７から起動時の温度を取得し、時計部１４−２の内蔵ＲＡＭに保持する。また、ＣＰＵ１０は、電源オフ時に、時計部１４−２から終了時刻、温度センサ１７から終了時の温度を取得し、時計部１４−２の内蔵ＲＡＭに保持する。また、ＣＰＵ１０は、表示装置１の稼働中の各時刻と温度とをＲＴＣ１６や温度センサ１７から取得し、ＲＴＣ１６の内蔵ＲＡＭに保持する。そしてＣＰＵ１０は、各時刻における温度の積分値を算出して補正指標を算出する。なおＣＰＵ１０は、起動時刻と終了時刻とから稼働時間の積算値（以下、稼働時間積算値）を算出し、時計部１４−２の内蔵ＲＡＭに保持するとともに（積算部）、起動時温度や終了時温度、起動時温度と終了時温度との温度差などに基づく温度係数を用いて、稼働時間積算値に温度係数を乗算して補正指標を算出するようにしてもよい。
【００３０】
そして、ＣＰＵ１０は、上記補正指標に従って、色度補正テーブル２０を参照して色度補正値を取得し、色度調整回路１４−１に対するパラメータを該色度補正値に従って制御することにより、ＬＣＤ１４の色度を補正する（色度調整部）。なお、第１、第２実施形態と同様に、輝度補正テーブル１９を参照して輝度補正値を取得し、ＬＣＤ１４のバックライトの輝度を補正するようにしてもよい（輝度調整部）。
【００３１】
上述した第３実施形態によれば、稼働時間積算値に温度係数を乗算して算出した補正指標に従って、色度補正テーブル２０を参照して色度補正値を取得し、該色度補正値に従ってＬＣＤ１４が備えている色調整回路１４−１に対するパラメータを制御することにより、ＬＣＤ１４の色度を補正するようにしたので、ＬＣＤ１４自体をリユースなどで再利用する場合により効果的である。
【００３２】
なお、上述した第１から第３実施形態では、ＬＣＤ１４の輝度、色度を補正するようにしたが、これに限らず、ＲＴＣ１６（または時計部１４−２）による計時時間を補正するようにしてもよい。表示装置１では、実時間を計時する手段として、ＲＴＣ１６（または時計部１４−２）を用いている。ＲＴＣ１６（または時計部１４−２）は、水晶発振子により計時しているが、その計時時間は、使用温度や稼働時間に応じて誤差が生じる。そのため、計時時間の誤差が大きくなると、該稼働時間に基づいて算出していた稼働時間、稼働時間積算値の誤差も大きくなり、正確な補正指標が算出できなくなる。
【００３３】
そこで、製造メーカにおける実験、あるいは、使用環境における実験に基づいて、ＬＣＤ１４の稼働時間と使用温度とから得られる補正指標（例えば、起動時刻、終了時刻、稼働時刻それぞれにおける温度の積分値）と紐付したＲＴＣ１６（または時計部１４−２）による計時時間の時刻補正値を保持する時刻補正テーブル（図示略）を用意する。
【００３４】
ＣＰＵ１０（時刻補正部）は、各時刻における温度の積分値を算出して補正指標を算出し、該補正指標に従って、時刻補正テーブルを参照して時刻補正値を取得し、ＲＴＣ１６（または時計部１４−２）を該時刻補正値に従って補正する。またはＣＰＵ１０は、起動時刻と終了時刻とから稼働時間の積算値（以下、稼働時間積算値）を算出するとともに、起動時温度や終了時温度、起動時温度と終了時温度との温度差などに基づく温度係数を用いて、稼働時間積算値に温度係数を乗算して補正指標を算出し、該補正指標に従って、時刻補正テーブルを参照して時刻補正値を取得し、ＲＴＣ１６（または時計部１４−２）を該時刻補正値に従って補正するようにしてもよい。この場合、より精度良くＬＣＤ１４の稼働時間を計時することができるので、より精度良くＬＣＤ１４の輝度、色度を補正することができる。
【００３５】
また、上述した第１乃至第３実施形態では、起動時、電源オフ時に温度センサにより温度を測定していたが、これに限らず、電源オン状態に所定時間間隔で温度を測定し、補正指標の算出に反映させてもよい。
【００３６】
また、上述した第１乃至第３実施形態では、ＬＣＤ１４の（バックライト）輝度、ＬＣＤ１４の色度を、稼働時間と使用温度とに基づいて補正するようにしたが、さらに、遊技機器等の使用環境（ホール等における煙草のヤニ（汚れ）や、ホールの照度による劣化の度合）による色変化を予め評価したパラメータを用いた補正テーブルを用意し、該補正テーブルを参照して算出した補正指標に対応する補正値を取得し、ＬＣＤ１４の輝度、ＬＣＤ１４の色度、ＲＴＣ１６（時計部１４−２）での計時時間を補正するようにしてもよい。
【００３７】
また、上述した第１乃至第４実施形態では、遊戯機を例に説明したが、これに限らず、輝度調整が任意に設定できない、電子機器であれば適用可能である。
【符号の説明】
【００３８】
１  表示装置
１０  ＣＰＵ
１１  メモリ・ＩＯコントローラ
１２  グラフィックＬＳＩ
１３  色補正ＩＣ
１４  ＬＣＤ
１４−１  色度調整回路
１４−２  時計部
１５  リセットＩＣ
１６  ＲＴＣ（内蔵ＲＡＭ）
１７  温度センサ
１８  ＬＥＤバックライトコントローラ
１９  輝度補正テーブル
２０  色度補正テーブル
１１  端末
１２  端末
１３  端末
２１  プレゼンスサーバ
２２  プレゼンスサーバ
【図１】
2013210434.tif 000003
【図２】
2013210434.tif 000004
【図３】
2013210434.tif 000005
【図４】
2013210434.tif 000006
【図５】
2013210434.tif 000007
【図６】
2013210434.tif 000008